(57)【要約】  【課題】  構造が簡易で、かつ、確実に封印でき、不正開放を防止できる基板ケースを提供する。  【解決手段】  ベース部材2及びカバー部材3を備え、組み合わせると両者の間に基板7を収納可能な空間が形成される基板ケース1であって、ベース部材2は外周縁から外方に突出する第１フランジ部5を備え、カバー部材3は外周縁から外方に突出し第１フランジ部5と重なり合う第２フランジ部6を備え、第１フランジ部5に第１固定穴22を設け、第２フランジ部6に第２固定穴33を設け、両固定穴を通した固定部材31で、互いに圧接させて両フランジ部を固定し、両フランジ部の少なくとも一方に貫通孔32を設け、両フランジ部を固定した際に、両フランジ部間に両固定穴近傍より貫通孔32近傍の方が間隔が大きく、貫通孔32から注入された液状の接着剤が流れ込む間隙8を形成する。【選択図】図１
2006087806.tif 000002
【特許請求の範囲】
【請求項１】
ベース部材と、該ベース部材と組み合わされるカバー部材とを備え、
ベース部材とカバー部材とを組み合わせると、ベース部材とカバー部材との間に基板を収納可能な空間が形成される基板ケースであって、
前記ベース部材は、その外周縁から外方に向けて突出する第１フランジ部を備え、
前記カバー部材は、その外周縁から外方に向けて突出する第２フランジ部を備え、
前記ベース部材と前記カバー部材とを組み合わせた際に、前記第２フランジ部は前記第１フランジ部と重なり合い、
前記第１フランジ部の所定位置には、第１固定穴が設けられ、
前記第２フランジ部の、ベース部材とカバー部材とを組み合わせた際に第１固定穴に対応する位置には、第２固定穴が設けられ、
第１フランジ部と第２フランジ部とは、第１固定穴と第２固定穴とを通した固定部材によって、互いに圧接した状態で固定されるように形成され、
第１フランジ部及び第２フランジ部の少なくとも一方の所定位置には、貫通孔が設けられ、
第１フランジ部と第２フランジ部とを固定部材で固定した際に、第１フランジ部と第２フランジ部との間に、前記第１固定穴及び第２固定穴の近傍よりも前記貫通孔の近傍の方が間隔が大きく、かつ、貫通孔から注入された液状の接着剤が流れ込む、間隙が形成されることを特徴とする基板ケース。
【請求項２】
第１フランジ部及び第２フランジ部の少なくとも一方が透明であり、かつ、接着剤は有色であることを特徴とする請求項１記載の基板ケース。
【請求項３】
第１フランジ部の、第２フランジ部側の面における、第１固定穴の近傍に、第２フランジ部方向へ向けて突出する段部が設けられるか、
第２フランジ部の、第１フランジ部側の面における、第２固定穴の近傍に、第１フランジ部方向へ向けて突出する段部が設けられるか、
又は、第１フランジ部の、第２フランジ部側の面における、第１固定穴の近傍に、第２フランジ部方向へ向けて突出する段部が設けられるとともに、第２フランジ部の、第１フランジ部側の面における、第２固定穴の近傍に、第１フランジ部方向へ向けて突出する段部が設けられることにより、
第１フランジ部と第２フランジ部とを固定部材で固定した際に、第１フランジ部と第２フランジ部との間に、前記第１固定穴及び第２固定穴の近傍よりも前記貫通孔の近傍の方が間隔が大きく、かつ、貫通孔から注入された液状の接着剤が流れ込む、間隙が形成されることを特徴とする請求項１又は２記載の基板ケース。
【請求項４】
第１フランジ部の、第２フランジ部側の面が、貫通孔の近傍よりも第１固定穴の近傍の方が第２フランジ部に近くなるように傾斜するか、
第２フランジ部の、第１フランジ部側の面が、貫通孔の近傍よりも第２固定穴の近傍の方が第１フランジ部に近くなるように傾斜するか、
又は、第１フランジ部の、第２フランジ部側の面が、貫通孔の近傍よりも第１固定穴の近傍の方が第２フランジ部に近くなるように傾斜するとともに、第２フランジ部の、第１フランジ部側の面が、貫通孔の近傍よりも第２固定穴の近傍の方が第１フランジ部に近くなるように傾斜することにより、
第１フランジ部と第２フランジ部とを固定部材で固定した際に、第１フランジ部と第２フランジ部との間に、前記第１固定穴及び第２固定穴の近傍よりも前記貫通孔の近傍の方が間隔が大きく、かつ、貫通孔から注入された液状の接着剤が流れ込む、間隙が形成されることを特徴とする請求項１又は２記載の基板ケース。
【請求項５】
第１フランジ部の、第２フランジ部側の面が、貫通孔の近傍よりも第１固定穴の近傍の方が第２フランジ部に近くなるように湾曲するか、
第２フランジ部の、第１フランジ部側の面が、貫通孔の近傍よりも第２固定穴の近傍の方が第１フランジ部に近くなるように湾曲するか、
又は、第１フランジ部の、第２フランジ部側の面が、貫通孔の近傍よりも第１固定穴の近傍の方が第２フランジ部に近くなるように湾曲するとともに、第２フランジ部の、第１フランジ部側の面が、貫通孔の近傍よりも第２固定穴の近傍の方が第１フランジ部に近くなるように湾曲することにより、
第１フランジ部と第２フランジ部とを固定部材で固定した際に、第１フランジ部と第２フランジ部との間に、前記第１固定穴及び第２固定穴の近傍よりも前記貫通孔の近傍の方が間隔が大きく、かつ、貫通孔から注入された液状の接着剤が流れ込む、間隙が形成されることを特徴とする請求項１又は２記載の基板ケース。
【請求項６】
第１固定穴と第２固定穴とを通した固定部材で、第１フランジ部と第２フランジ部とを圧接させた際に、第１フランジ部及び第２フランジ部の少なくとも一方が、貫通孔の近傍よりも第１固定穴及び第２固定穴の近傍で、他方に近くなるようにたわむことにより、
第１フランジ部と第２フランジ部とを固定部材で固定した際に、第１フランジ部と第２フランジ部との間に、前記第１固定穴及び第２固定穴の近傍よりも前記貫通孔の近傍の方が間隔が大きく、かつ、貫通孔から注入された液状の接着剤が流れ込む、間隙が形成されることを特徴とする請求項１又は２記載の基板ケース。
【請求項７】
第２フランジ部の、第１フランジ部側の面における両端に、第１フランジ部へ向けて突出する突部が設けられるか、
第１フランジ部の、第２フランジ部側の面における両端に、第２フランジ部へ向けて突出する突部が設けられるか、
又は、第２フランジ部の、第１フランジ部側の面における両端に、第１フランジ部へ向けて突出する突部が設けられるとともに、第１フランジ部の、第２フランジ部側の面における両端に、第２フランジ部へ向けて突出する突部が設けられていることを特徴とする請求項６記載の基板ケース。
【請求項８】
ベース部材と、該ベース部材と組み合わされるカバー部材とを備え、
ベース部材とカバー部材とを組み合わせると、ベース部材とカバー部材との間に基板を収納可能な空間が形成される基板ケースの封印方法であって、
前記ベース部材は、その外周縁から外方に向けて突出する第１フランジ部を備え、
前記カバー部材は、その外周縁から外方に向けて突出する第２フランジ部を備え、
前記ベース部材と前記カバー部材とを組み合わせた際に、前記第２フランジ部は前記第１フランジ部と重なり合い、
前記第１フランジ部の所定位置には、第１固定穴が設けられ、
前記第２フランジ部の、ベース部材とカバー部材とを組み合わせた際に第１固定穴に対応する位置には、第２固定穴が設けられ、
第１フランジ部と第２フランジ部とは、第１固定穴と第２固定穴とを通した固定部材によって、互いに圧接した状態で固定されるように形成され、
第１フランジ部及び第２フランジ部の少なくとも一方の所定位置には、貫通孔が設けられ、
第１フランジ部と第２フランジ部とを固定した際に、第１フランジ部と第２フランジ部との間に、前記第１固定穴及び第２固定穴の近傍よりも前記貫通孔の近傍の方が間隔が大きい間隙が形成され、
第１フランジ部と第２フランジ部とを固定部材で圧接させて固定した後、液状の接着剤を貫通孔から注入し、この接着剤を間隙に流れ込ませて、第１フランジ部と第２フランジ部とを接着することを特徴とする基板ケースの封印方法。
【発明の詳細な説明】
【技術分野】
【０００１】
本発明は、基板ケース及び基板ケースの封印方法に関する。
【背景技術】
【０００２】
パチンコやスロットマシン等の遊技機では、その内部に備えられる各装置の作動やゲーム内容を制御する基板が設けられている。この基板は、メダルや玉の払い出しの制御、大当たりや各ボーナスの抽選などを行う極めて重要な役割を有するものである。したがって、遊技機に備えられた正規の基板が不正な基板に交換されたり、改造されたりすることを確実に防止する必要がある。そのためには、基板を収納する基板ケースを設けて、この中に基板を収納した後、この基板ケースをシール等により封印し、さらに、この基板ケースが開放されたときにその開放の痕跡を残すというような技術が考えられる。このような技術としては下記の特許文献１及び特許文献２に開示する技術が提供されている。
【０００３】
すなわち、特許文献１では、ケース本体部材と、ケース本体部材に装着されるケース蓋部材と、ケース本体部材に連結して設けた本体側係合部と、ケース蓋部材に連結して設けた蓋側係合部と、両係合部が対向して重なったときに両係合部の間に形成される係合用空間内に配設される接続部材とを有している。そして、前記接続部材が係合用空間内において本体側係合部と係合されるとともに蓋側係合部とも係合され、ケース本体部材にケース蓋部材を装着した状態を保持するように構成されている。そして、本体側係合部および蓋側係合部におけるケース本体部材もしくはケース蓋部材との連結部が切断可能に構成されており、この連結部を切断してケース本体部材からケース蓋部材を外すことができるように構成されている。これにより、係合空間内において接続部材を介して本体側係合部と蓋側係合部とが係合保持されるため、この係合を外部から解除することが不可能であり、ケース蓋部材をケース本体部材から開放もしくは取り外すことができなくなり、不正開放を防止することができる。
【０００４】
また、特許文献２では、基板と、この基板を収納するケース本体と、このケース本体に被せられるケース蓋と、このケース蓋とケース本体とをこれらの当接部位の一部または全部において接着する接着剤または硬化樹脂と、この接着剤または硬化樹脂による接着箇所にまたがった状態でケース本体およびケース蓋に貼られる封印シールとから封印構造が構成されている。これにより、封印シールが剥がされたとしても、ケースが開かないので電子部品の脱着は困難となり、不正開放を防止することができる。
【特許文献１】特開２００３−３４００９４号公報
【特許文献２】特開平１０−２４９０２４号公報
【発明の開示】
【発明が解決しようとする課題】
【０００５】
しかし、上述の特許文献１に開示されている基板ケースでは、本体側係合部と蓋側係合部とは、接続部材を介して係合保持されるため、外部からこの係合を解除することはきわめて難しくなっているが、ケース本体部材とケース蓋部材との間には微小な隙間が形成されており、この隙間から鋭利な刃物等を進入させることが可能であり、基板ケースを不正開放されるおそれがあるという問題が生じていた。また、前記のような基板ケースは、その構造が比較的複雑なものとなり、生産性の向上が図れないという問題も生じていた。
また、上述の特許文献２に開示されている基板ケースにおいては、ケース蓋とケース本体との当接部位に接着剤や硬化樹脂等を塗付して両者を接着させることで基板ケースの不正開放を難しくさせているが、封印シールを特殊な薬品等により剥がし、接着部分を無理矢理開放して、制御基板の交換や電子部品の脱着を行った後、元通りに封印シールを貼っておくと不正開放がされたか否かの確認が難しくなるという問題が生じていた。さらに、不正開放をより難しいものとするためには、ケース蓋とケース本体との当接部位の比較的広範囲に渡って、接着剤や硬化樹脂等を塗付しなければならず、経済的でないという問題も生じていた。
【０００６】
したがって、上記のような事情により、簡単な構造で、基板ケースを構成するベース部材とカバー部材とを強固に接合するとともに、基板ケースが不正に開放されることなく、経済的で確実に封印することが可能な基板ケースの提供が望まれている。
そこで、本発明は、上記事情に鑑みてなされたものであり、構造が簡易であって、かつ、確実に封印でき、不正な開放を防止することができるような基板ケースを提供することを第１の課題とする。
さらに、本発明は、上記第１の課題に加え、不正な開放が行われた場合に、その開放跡を視認することができ、不正な開放を容易に発見できるような基板ケースを提供することを第２の課題とする。
【０００７】
さらに、本発明は、上記第１又は第２の課題に加え、簡易かつ強固な固定を、より効果的に行うことができる基板ケースを提供することを第３の課題とする。
また、本発明は、基板ケースを確実に封印でき、不正な開放を防止することができるような基板ケースの封印方法を提供することを第４の課題とする。
【課題を解決するための手段】
【０００８】
本発明は、上記した各目的を達成するためになされたものであり、発明の特徴点を図面に示した発明の実施の形態を用いて、以下に説明する。
なお、符号は、発明の実施の形態において用いた符号を示し、本発明の技術的範囲を限定するものではない。
（第１の発明）
本発明のうち第１の発明は、ベース部材2と、該ベース部材2と組み合わされるカバー部材3とを備え、ベース部材2とカバー部材3とを組み合わせると、ベース部材2とカバー部材3との間に基板7を収納可能な空間が形成される基板ケース1であって、前記ベース部材2は、その外周縁から外方に向けて突出する第１フランジ部5を備え、前記カバー部材3は、その外周縁から外方に向けて突出する第２フランジ部6を備え、前記ベース部材2と前記カバー部材3とを組み合わせた際に、前記第２フランジ部6は前記第１フランジ部5と重なり合い、前記第１フランジ部5の所定位置には、第１固定穴22が設けられ、前記第２フランジ部6の、ベース部材2とカバー部材3とを組み合わせた際に第１固定穴22に対応する位置には、第２固定穴33が設けられ、第１フランジ部5と第２フランジ部6とは、第１固定穴22と第２固定穴33とを通した固定部材31によって、互いに圧接した状態で固定されるように形成され、第１フランジ部5及び第２フランジ部6の少なくとも一方の所定位置には、貫通孔32が設けられ、第１フランジ部5と第２フランジ部6とを固定部材31で固定した際に、第１フランジ部5と第２フランジ部6との間に、前記第１固定穴22及び第２固定穴33の近傍よりも前記貫通孔32の近傍の方が間隔が大きく、かつ、貫通孔32から注入された液状の接着剤が流れ込む、間隙8が形成されることを特徴とする。
【０００９】
基板ケース1とは、ゲーム内容や各装置の制御を行う基板7を収納するケースをいう。
ここで、基板ケース1はベース部材2と、該ベース部材2と組み合わされるカバー部材3とを備えている。すなわち、ベース部材2及びカバー部材3は基板ケース1を構成する部材であり、両者が組み合わされることで基板ケース1が形成される。
また、ベース部材2とカバー部材3とを組み合わせると、ベース部材2とカバー部材3との間に基板7を収納可能な空間が形成される。このように、ベース部材2及びカバー部材3の両者を組み合わせて、それらの間に基板7を収納する空間を形成可能とするために、ベース部材2及びカバー部材3の少なくとも一方を、開口部を有する箱型形状とする必要がある。たとえば、ベース部材2は開口部を有する箱型形状とし、カバー部材3は、この開口部を覆う平面板とすることができる。これにより、ベース部材2の開口部を覆うようにカバー部材3を組み合わせると、ベース部材2とカバー部材3との間に基板7を収納可能な空間が形成される。また、ベース部材2を平面板とし、カバー部材3を、開口部を有する箱型形状とすることもできる。また、ベース部材2及びカバー部材3の両方を、開口部を有する箱型形状とすることもできる。
【００１０】
ベース部材2は、その外周縁から外方に向けて突出する第１フランジ部5を備え、カバー部材3は、その外周縁から外方に向けて突出する第２フランジ部6を備え、前記ベース部材2と前記カバー部材3とを組み合わせた際に、前記第２フランジ部6は前記第１フランジ部5と重なり合う。
第１フランジ部5及び第２フランジ部6は、両者が完全に重なりあうようにするため、表面の形状、大きさは等しくする必要がある。第１フランジ部5及び第２フランジ部6が重なりあっていない場合には、たとえば鋭利な刃等を第１フランジ部5と第２フランジ部6との境目から挿入しやすく、基板ケース1の不正開放が容易となるおそれが生じるからである。また、第１フランジ部5及び第２フランジ部6は、基板ケース1の不正開放を難しいものとするため、複数個備えることができる。さらに、第１フランジ部5及び第２フランジ部6は、基板ケース1の不正開放を難しいものとするため、たとえば、ベース部材2及びカバー部材3の長辺の両端近傍にそれぞれ備えることができる。また、ベース部材2及びカバー部材3の四辺の中央付近にそれぞれ備えることもできる。
【００１１】
第１フランジ部5の所定位置には、第１固定穴22が設けられ、第２フランジ部6の、ベース部材2とカバー部材3とを組み合わせた際に第１固定穴22に対応する位置には、第２固定穴33が設けられる。さらに、第１フランジ部5と第２フランジ部6とは、第１固定穴22と第２固定穴33とを通した固定部材31によって、互いに圧接した状態で固定されるように形成される。
すなわち、第１固定穴22及び第２固定穴33には固定部材31が通され、第１フランジ部5と第２フランジ部6とは、この第１固定穴22及び第２固定穴33を介して、前記固定部材31によって固定される。この際、第１フランジ部5と第２フランジ部6とは、前記固定部材31により、圧接されるように固定される。
【００１２】
また、第１フランジ部5の所定位置には、第１固定穴22が設けられる、とあるが、この第１固定穴22は、第１フランジ部5と第２フランジ部6とを確実に固定するとともに、後述の、第１フランジ部5と第２フランジ部6との間に形成される間隙8に、確実に接着剤が流れ込むようにすべく、第１フランジ部5の中央付近に設けるのが望ましい。
また、固定部材31は第１固定穴22側から通すことができるようにしてもよく、又は、第２固定穴33側から通すことができるようにしてもよい。具体的には、固定部材31を第１固定穴22側から通す場合には、第１フランジ部5の第２フランジ部6側と反対の面側から固定部材31を第１固定穴22に挿入していく。そして、固定部材31は、第１固定穴22及び第２固定穴33を介して、第２フランジ部6まで至る。
【００１３】
この場合、第１フランジ部5と第２フランジ部6とを固定部材31で固定できるのであれば、第２固定穴33は、第２フランジ部6を貫通していてもよく、又は、貫通していなくてもよい。また、固定部材31の種類も、特に限定されるものではなく、ネジ、タッピンネジ、ナイラッチ、ピンなどを使用することができる。
たとえば、第２固定穴33は第２フランジ部6を貫通し、かつ、固定部材31としてネジを使用することができる。すなわち、第１固定穴22に挿入されたネジの先端を第２固定穴33から突出させ、このネジをナットと螺合させることで、第１フランジ部5と第２フランジ部6とを固定させるようにすることができる。また、ナットと同様の作用をする他の部材を第２固定穴33に取り付け、ネジによりこの部材にネジ止めすることで、第１フランジ部5と第２フランジ部6とを固定させるようにすることもできる。
【００１４】
また、上述のように、固定部材31としてタッピンネジ34を使用することもできる。すなわち、第１固定穴22及び第２固定穴33にタッピンネジ34をねじ込んでいき、さらに、このタッピンネジ34を第２フランジ部6にねじ込むことで、第１フランジ部5と第２フランジ部6とを固定させるようにすることができる。この場合は、第２固定穴33が第２フランジ部6を貫通していないものとするのが望ましい。
また、固定部材31を第２固定穴33側から挿入する場合は、上述の場合と同様である。
第１フランジ部5及び第２フランジ部6の少なくとも一方の所定位置には、貫通孔32が設けられる。
【００１５】
前記貫通孔32は、第１フランジ部5及び第２フランジ部6の少なくとも一方に設けられるため、第１フランジ部5のみに貫通孔32を設けることができる。また、第２フランジ部6のみに貫通孔32を設けることもできる。また、第１フランジ部5及び第２フランジ部6の両方に、それぞれ貫通孔32を設けることもできる。また、貫通孔32はこれらのフランジ部に１箇所のみ設けることもできるし、又は２箇所以上設けることもできる。
ここで、第１フランジ部5及び第２フランジ部6の両方にそれぞれ貫通孔32を設ける場合は、第１フランジ部5の貫通孔32と第２フランジ部6の貫通孔32とが重なり合わないようにするのが望ましい。後述するように、この貫通孔32から接着剤9を注入し、第１フランジ部5と第２フランジ部6との間に形成される間隙8に流れ込ませるが、第１フランジ部5の貫通孔32と第２フランジ部6の貫通孔32とが重なり合っていると、接着剤9はこの貫通孔32を通って第１フランジ部5及び第２フランジ部6の外に流れ出てしまうからである。
【００１６】
第１フランジ部5と第２フランジ部6とを固定部材31で固定した際に、第１フランジ部5と第２フランジ部6との間に、前記第１固定穴22及び第２固定穴33の近傍よりも前記貫通孔32の近傍の方が間隔が大きく、かつ、貫通孔32から注入された液状の接着剤が流れ込む、間隙8が形成される。
すなわち、第１フランジ部5と第２フランジ部6とは、第１固定穴22及び第２固定穴33を介して、固定部材31により固定されているが、不正開放を難しいものとすべく、第１フランジ部5と第２フランジ部6との間に間隙8を形成し、前記貫通孔32から液状の接着剤9を注入して当該間隙8に流れ込ませることで、第１フランジ部5と第２フランジ部6とを接着している。
【００１７】
ここで、間隙8は非常に狭小な隙間であり、第１固定穴22及び第２固定穴33の近傍よりも貫通孔32の近傍の方が間隔が大きくなっている。すなわち、貫通孔32から注入された接着剤9が、第１固定穴22及び第２固定穴33の近傍へ向けて、流れ込んで広がっていくことができる程度の大きさの隙間である。このように、間隙8は非常に小さな隙間であるため、貫通孔32より接着剤9を注入すると、毛細管力によって間隙8に接着剤9が流れ込み、僅かの時間で間隙8全体に広がることとなる。この結果、接着剤9により、第１フランジ部5と第２フランジ部6とは接着されることとなる。
また、液状の接着剤9とあるが、これは完全に液状となっている必要はなく、前記間隙8に流れ込んで広がっていくことができる程度の粘性を有したものであってもよい。また接着剤9としては、瞬間接着剤を使用するのが望ましく、たとえば、シアノアクリレート系接着剤を使用することができる。
【００１８】
（第２の発明）
本発明のうち第２の発明は、上記第１の発明の特徴に加え、第１フランジ部5及び第２フランジ部6の少なくとも一方が透明であり、かつ、接着剤9は有色であることを特徴とする。
第１フランジ部5及び第２フランジ部6の少なくとも一方が透明であるため、第１フランジ部5のみを透明とすることができる。また、第２フランジ部6のみを透明とすることもできる。また、第１フランジ部5又は第２フランジ部6の一方のみを透明とするのではなく、第１フランジ部5及び第２フランジ部6の両方を透明とすることもできる。さらに、接着剤9は有色とする。これにより、第１フランジ部5と第２フランジ部6とが接着されているかどうかを目視で簡単に確認することができる。また、第１フランジ部5が第２フランジ部6から剥がされた場合には、接着構造が破壊されることにより剥離面に白濁した部分が生じることとなるため、剥がされたかどうかについても目視で簡単に確認することができる。なお、ここで「透明」とは無色透明及び有色透明の両方を含む意味である。また、「有色」とは有色透明及び有色不透明の両方を含む意味である。
【００１９】
また、第１フランジ部5又は第２フランジ部6のいずれか一方を透明とする場合は、遊技機の扉等を開けた時に、店員等が透明なフランジ部を見えるように、基板ケース1を設置するのがよい。目視での確認を容易にするためである。
（第３の発明）
本発明のうち第３の発明は、上記第１又は第２の発明の特徴に加え、第１フランジ部5の、第２フランジ部6側の面における、第１固定穴22の近傍に、第２フランジ部6方向へ向けて突出する段部23が設けられるか、第２フランジ部6の、第１フランジ部5側の面における、第２固定穴33の近傍に、第１フランジ部5方向へ向けて突出する段部23が設けられるか、又は、第１フランジ部5の、第２フランジ部6側の面における、第１固定穴22の近傍に、第２フランジ部6方向へ向けて突出する段部23が設けられるとともに、第２フランジ部6の、第１フランジ部5側の面における、第２固定穴33の近傍に、第１フランジ部5方向へ向けて突出する段部23が設けられることにより、第１フランジ部5と第２フランジ部6とを固定部材31で固定した際に、第１フランジ部5と第２フランジ部6との間に、前記第１固定穴22及び第２固定穴33の近傍よりも前記貫通孔32の近傍の方が間隔が大きく、かつ、貫通孔32から注入された液状の接着剤9が流れ込む、間隙8が形成されることを特徴とする。
【００２０】
具体的には、第１フランジ部5と第２フランジ部6とを固定部材31で固定した際に、第１フランジ部5と第２フランジ部6との間に形成される間隙8は、その間隔が第１固定穴22及び第２固定穴33の近傍よりも貫通孔32の近傍において大きくなるようにするため、第１フランジ部5の、第２フランジ部6側の面の、第１固定穴22の近傍に、第２フランジ部6方向へ向けて突出する凸部である段部23を設ける。これによって、間隙8の間隔は、第１固定穴22及び第２固定穴33の近傍よりも貫通孔32の近傍の方が大きくなる。
また、この段部23は第２フランジ部6に設けてもよい。すなわち、第２フランジ部6の、第１フランジ部5側の面における、第２固定穴22の近傍に、第１フランジ部6方向へ向けて突出する段部23を設けることもできる。この場合も、間隙8の間隔は、第１固定穴22及び第２固定穴33の近傍よりも貫通孔32の近傍の方が大きくなる。
【００２１】
また、この段部23は第１フランジ部5及び第２フランジ部6の両方に設けることもできる。すなわち、第１フランジ部5の、第２フランジ部6側の面における、第１固定穴22の近傍に、第２フランジ部6方向へ向けて突出する段部23を設けるとともに、第２フランジ部6の、第１フランジ部5側の面における、第２固定穴33の近傍に、第１フランジ部5方向へ向けて突出する段部23を設けることもできる。この場合も、間隙8の間隔は、第１固定穴22及び第２固定穴33の近傍よりも貫通孔32の近傍の方が大きくなる。
（第４の発明）
本発明のうち第４の発明は、上記第１又は第２の発明の特徴に加え、第１フランジ部5の、第２フランジ部6側の面が、貫通孔32の近傍よりも第１固定穴22の近傍の方が第２フランジ部6に近くなるように傾斜するか、第２フランジ部6の、第１フランジ部5側の面が、貫通孔32の近傍よりも第２固定穴33の近傍の方が第１フランジ部5に近くなるように傾斜するか、又は、第１フランジ部5の、第２フランジ部6側の面が、貫通孔32の近傍よりも第１固定穴22の近傍の方が第２フランジ部6に近くなるように傾斜するとともに、第２フランジ部6の、第１フランジ部5側の面が、貫通孔32の近傍よりも第２固定穴33の近傍の方が第１フランジ部5に近くなるように傾斜することにより、第１フランジ部5と第２フランジ部6とを固定部材31で固定した際に、第１フランジ部5と第２フランジ部6との間に、前記第１固定穴22及び第２固定穴33の近傍よりも前記貫通孔32の近傍の方が間隔が大きく、かつ、貫通孔32から注入された液状の接着剤9が流れ込む、間隙8が形成されることを特徴とする。
【００２２】
すなわち、第１フランジ部5の、第２フランジ部6側の面を、いわゆるテーパー面とする。このテーパー面は、第１固定穴22の近傍が第２フランジ部6に最も近く、第１固定穴22の近傍から貫通孔32の近傍に向けて、しだいに第２フランジ部6から遠ざかるように傾斜している。すなわち、第１フランジ部5の、第２フランジ部6側の面が、貫通孔32の近傍よりも第１固定穴22の近傍の方が第２フランジ部6に近くなるように傾斜させることにより、第１フランジ部5と第２フランジ部6との間に、第１固定穴22及び第２固定穴33の近傍よりも貫通孔32の近傍の方が間隔が大きい間隙8が形成されるようにすることができる。
また、第２フランジ部6の、第１フランジ部5側の面を、いわゆるテーパー面とすることもできる。すなわち、第２フランジ部6の、第１フランジ部5側の面が、貫通孔32の近傍よりも第２固定穴33の近傍の方が第１フランジ部5に近くなるように傾斜することにより、第１フランジ部5と第２フランジ部6との間に、第１固定穴22及び第２固定穴33の近傍よりも貫通孔32の近傍の方が間隔が大きい間隙8が形成されるようにすることもできる。
【００２３】
同様に、第１フランジ部5の第２フランジ部6側の面、及び、第２フランジ部6の第１フランジ部5側の面の両方を、いわゆるテーパー面とすることもできる。すなわち、第１フランジ部5の、第２フランジ部6側の面が、貫通孔32の近傍よりも第１固定穴22の近傍の方が第２フランジ部6に近くなるように傾斜するとともに、第２フランジ部6の、第１フランジ部5側の面が、貫通孔32の近傍よりも第２固定穴33の近傍の方が第１フランジ部5に近くなるように傾斜することにより、第１フランジ部5と第２フランジ部6との間に、第１固定穴22及び第２固定穴33の近傍よりも貫通孔32の近傍の方が間隔が大きい間隙8が形成されるようにすることもできる。
【００２４】
（第５の発明）
本発明のうち第５の発明は、上記第１又は第２の発明の特徴に加え、第１フランジ部5の、第２フランジ部6側の面が、貫通孔32の近傍よりも第１固定穴22の近傍の方が第２フランジ部6に近くなるように湾曲するか、第２フランジ部6の、第１フランジ部5側の面が、貫通孔32の近傍よりも第２固定穴33の近傍の方が第１フランジ部5に近くなるように湾曲するか、又は、第１フランジ部5の、第２フランジ部6側の面が、貫通孔32の近傍よりも第１固定穴22の近傍の方が第２フランジ部6に近くなるように湾曲するとともに、第２フランジ部6の、第１フランジ部5側の面が、貫通孔32の近傍よりも第２固定穴33の近傍の方が第１フランジ部5に近くなるように湾曲することにより、第１フランジ部5と第２フランジ部6とを固定部材31で固定した際に、第１フランジ部5と第２フランジ部6との間に、前記第１固定穴22及び第２固定穴33の近傍よりも前記貫通孔32の近傍の方が間隔が大きく、かつ、貫通孔32から注入された液状の接着剤9が流れ込む、間隙8が形成されることを特徴とする。
【００２５】
すなわち、第１フランジ部5の、第２フランジ部6側の面を、第２フランジ部6側に凸となる曲面とする。この曲面は、第１固定穴22の近傍が第２フランジ部6に最も近く、第１固定穴22の近傍から貫通孔32の近傍に向けて、しだいに第２フランジ部6から遠ざかるように湾曲している。すなわち、第１フランジ部5の、第２フランジ部6側の面が、貫通孔32の近傍よりも第１固定穴22の近傍の方が第２フランジ部6に近くなるように湾曲することにより、第１フランジ部5と第２フランジ部6とを固定部材31で固定した際には、第１フランジ部5と第２フランジ部6との間に、第１固定穴22及び第２固定穴33の近傍よりも貫通孔32の近傍の方が間隔が大きい間隙8が形成されるようにすることができる。
【００２６】
また、第２フランジ部6の、第１フランジ部5側の面を、第１フランジ部5側に凸となる曲面とすることもできる。すなわち、第２フランジ部6の、第１フランジ部5側の面が、貫通孔32の近傍よりも第２固定穴33の近傍の方が第１フランジ部5に近くなるように湾曲することにより、第１フランジ部5と第２フランジ部6との間に、第１固定穴22及び第２固定穴33の近傍よりも貫通孔32の近傍の方が間隔が大きい間隙8が形成されるようにすることもできる。
同様に、第１フランジ部5の第２フランジ部6側の面、及び、第２フランジ部6の第１フランジ部5側の面の両方を、それぞれ対向するフランジ部に凸となる曲面とすることもできる。すなわち、第１フランジ部5の、第２フランジ部6側の面が、貫通孔32の近傍よりも第１固定穴22の近傍の方が第２フランジ部6に近くなるように湾曲するとともに、第２フランジ部6の、第１フランジ部5側の面が、貫通孔32の近傍よりも第２固定穴33の近傍の方が第１フランジ部5に近くなるように湾曲することにより、第１フランジ部5と第２フランジ部6との間に、第１固定穴22及び第２固定穴33の近傍よりも貫通孔32の近傍の方が間隔が大きい間隙8が形成されるようにすることもできる。
【００２７】
（第６の発明）
本発明のうち第６の発明は、上記第１又は第２の発明の特徴に加え、第１固定穴22と第２固定穴33とを通した固定部材31で、第１フランジ部5と第２フランジ部6とを圧接させた際に、第１フランジ部5及び第２フランジ部6の少なくとも一方が、貫通孔32の近傍よりも第１固定穴22及び第２固定穴33の近傍で、他方に近くなるようにたわむことにより、第１フランジ部5と第２フランジ部6とを固定部材31で固定した際に、第１フランジ部5と第２フランジ部6との間に、前記第１固定穴22及び第２固定穴33の近傍よりも前記貫通孔32の近傍の方が間隔が大きく、かつ、貫通孔32から注入された液状の接着剤9が流れ込む、間隙8が形成されることを特徴とする。
【００２８】
具体的には、固定部材31で、第１フランジ部5と第２フランジ部6とを圧接させることで、第１フランジ部5が、貫通孔32の近傍よりも第１固定穴22の近傍で、第２フランジ部6に近くなるようにたわむことにより、第１フランジ部5と第２フランジ部6との間に、第１固定穴22及び第２固定穴33の近傍よりも貫通孔32の近傍の方が間隔が大きい間隙8を形成することができる。
また、固定部材31で、第１フランジ部5と第２フランジ部6とを圧接させることで、第２フランジ部6が、貫通孔32の近傍よりも第２固定穴33の近傍で、第１フランジ部5に近くなるようにたわむことにより、第１フランジ部5と第２フランジ部6との間に、第１固定穴22及び第２固定穴33の近傍よりも貫通孔32の近傍の方が間隔が大きい間隙8を形成することもできる。
【００２９】
また、固定部材31で、第１フランジ部5と第２フランジ部6とを圧接させることで、第１フランジ部5が、貫通孔32の近傍よりも第１固定穴22の近傍で、第２フランジ部6に近くなるようにたわむとともに、第２フランジ部6が、貫通孔32の近傍よりも第２固定穴33の近傍で、第１フランジ部5に近くなるようにたわむことにより、第１フランジ部5と第２フランジ部6との間に、第１固定穴22及び第２固定穴33の近傍よりも貫通孔32の近傍の方が間隔が大きい間隙8を形成することもできる。
また、固定部材31で、第１フランジ部5と第２フランジ部6とを圧接させることで、第１フランジ部5及び第２フランジ部6の少なくとも一方を、貫通孔の近傍よりも第１固定穴22及び第２固定穴33の近傍で、他方に近くなるようにたわませるためには、固定部材31での固定前に、第１フランジ部5と第２フランジ部6とを、間隙を介して平行となるように形成しておくことができる。たとえば、第１フランジ部5及び第２フランジ部6の少なくとも一方の両端に、他方へ向けて突出する突部を設けることで、上述のように、第１フランジ部5と第２フランジ部6とを、間隙を介して平行となるように形成することができる。
【００３０】
また、固定部材31での固定前に、第１フランジ部5と第２フランジ部6とを、第１固定穴22及び第２固定穴33の近傍よりも貫通孔32の近傍で、他方に近くなるように形成しておくこともできる。
（第７の発明）
本発明のうち第７の発明は、上記第６の発明の特徴に加え、第２フランジ部6の、第１フランジ部5側の面における両端に、第１フランジ部5へ向けて突出する突部24が設けられるか、第１フランジ部5の、第２フランジ部6側の面における両端に、第２フランジ部6へ向けて突出する突部24が設けられるか、又は、第２フランジ部6の、第１フランジ部5側の面における両端に、第１フランジ部5へ向けて突出する突部24が設けられるとともに、第１フランジ部5の、第２フランジ部6側の面における両端に、第２フランジ部6へ向けて突出する突部24が設けられていることを特徴とする。
【００３１】
具体的には、第２フランジ部6の、第１フランジ部5側の面の両端にそれぞれ、第１フランジ部5方向に向けて突出する突部24を設ける。すると、第１フランジ部5と第２フランジ部6とは、間隙を介して平行に配設されることとなる。ここで、固定部材31で、第１フランジ部5と第２フランジ部6とを圧接させることで、第１フランジ部5が、貫通孔32の近傍よりも第１固定穴22の近傍で、第２フランジ部6に近くなるようにたわむか、第２フランジ部6が、貫通孔32の近傍よりも第２固定穴33の近傍で、第１フランジ部5に近くなるようにたわむか、又は、第１フランジ部5が、貫通孔32の近傍よりも第１固定穴22の近傍で、第２フランジ部6に近くなるようにたわむとともに、第２フランジ部6が、貫通孔32の近傍よりも第２固定穴33の近傍で、第１フランジ部5に近くなるようにたわむことにより、第１フランジ部5と第２フランジ部6との間に、第１固定穴22及び第２固定穴33の近傍よりも貫通孔32の近傍の方が間隔が大きい間隙8を形成することができる。
【００３２】
また、第１フランジ部5の、第２フランジ部6側の面の両端にそれぞれ、第２フランジ部6方向へ向けて突出する突部24を設けることもできる。この場合も、上述と同様にすることにより、第１フランジ部5と第２フランジ部6との間に、第１固定穴22及び第２固定穴33の近傍よりも貫通孔32の近傍の方が間隔が大きい間隙8を形成することができる。
また、第２フランジ部6の、第１フランジ部5側の面の両端にそれぞれ、第１フランジ部5方向に向けて突出する突部24を設けるとともに、第１フランジ部5の、第２フランジ部6側の面の両端にそれぞれ、第２フランジ部6方向へ向けて突出する突部24を設けることもできる。この場合も、上述と同様にすることにより、第１フランジ部5と第２フランジ部6との間に、第１固定穴22及び第２固定穴33の近傍よりも貫通孔32の近傍の方が間隔が大きい間隙8を形成することができる。
【００３３】
（第８の発明）
ベース部材2と、該ベース部材2と組み合わされるカバー部材3とを備え、ベース部材2とカバー部材3とを組み合わせると、ベース部材2とカバー部材3との間に基板7を収納可能な空間が形成される基板ケース1の封印方法であって、前記ベース部材2は、その外周縁から外方に向けて突出する第１フランジ部5を備え、前記カバー部材3は、その外周縁から外方に向けて突出する第２フランジ部6を備え、前記ベース部材2と前記カバー部材3とを組み合わせた際に、前記第２フランジ部6は前記第１フランジ部5と重なり合い、前記第１フランジ部5の所定位置には、第１固定穴22が設けられ、前記第２フランジ部6の、ベース部材2とカバー部材3とを組み合わせた際に第１固定穴22に対応する位置には、第２固定穴33が設けられ、第１フランジ部5と第２フランジ部6とは、第１固定穴22と第２固定穴33とを通した固定部材31によって、互いに圧接した状態で固定されるように形成され、第１フランジ部5及び第２フランジ部6の少なくとも一方の所定位置には、貫通孔32が設けられ、第１フランジ部5と第２フランジ部6とを固定した際に、第１フランジ部5と第２フランジ部6との間に、前記第１固定穴22及び第２固定穴33の近傍よりも前記貫通孔32の近傍の方が間隔が大きい間隙8が形成され、第１フランジ部5と第２フランジ部6とを固定部材31で圧接させて固定した後、液状の接着剤9を貫通孔32から注入し、この接着剤9を間隙8に流れ込ませて、第１フランジ部5と第２フランジ部6とを接着することを特徴とする。
【００３４】
ここで、基板ケース1とは第１の発明における基板ケース1と同一のものであり、構成等の説明は省略する。
第１固定穴22及び第２固定穴33を通した固定部材31で、第１フランジ部5と第2フランジ部6とを圧接させて固定させた後、液状の接着材9を貫通孔32から注入し、この接着剤9を前記間隙8に流し込ませる。これにより前記第１フランジ部5と第２フランジ部6とを接着させて、基板ケース1を封印する。すなわち、第１フランジ部5と第２フランジ部6とを固定部材31により固定し、この状態において、貫通孔32から接着剤9を注入すると、第１フランジ部5と第２フランジ部6との間に形成されている間隙8にこの接着剤9が流れ込む。ここで、間隙8は非常に小さな隙間であるため、貫通孔32より接着剤9を注入すると、間隙8に接着剤9が流れ込み、僅かの時間で間隙8の全体に広がることとなる。これにより、第１フランジ部5と第２フランジ部6とが接着され、基板ケース1は封印される。
【発明の効果】
【００３５】
本発明は、以下に記載されるような効果を奏する。
すなわち、本発明のうち第１の発明は、構造が簡易であって、かつ、確実に封印でき、不正な開放を防止することができるような基板ケースを提供することができる。
つまり、本発明に係る第１フランジ部及び第２フランジ部には、固定部材で止めるための第１固定穴及び第２固定穴、接着剤を注入する貫通孔を備えており、これらのみで基板ケースを接着封印するため、封印構造が容易となり、生産性の向上やコストの低下を図ることができる。また、固定部材による固定のみではなく、第１フランジ部及び第２フランジ部を接着剤で接着することにより、基板ケースを強力に固定するため、不正開放を極めて難しいものとすることができる。また、第１フランジ部と第２フランジ部との間に形成される間隙は非常に小さな隙間であり、貫通孔より注入された接着剤は、毛細管力によって僅かの時間で間隙の全域に広がるため、簡易に接着剤を塗布することができる。また、第１フランジ部と第２フランジ部とが固定部材により圧接されているので、人間が手で第１フランジ部及び第２フランジ部を押さえることなく、第１フランジ部及び第２フランジ部を固定することができるため、作業負担が軽減されることとなる。
【００３６】
さらに、本発明のうち第２の発明は、上記した第１の発明の効果に加え、不正な開放が行われた場合に、その開放跡を視認することができ、不正な開放を容易に発見できるような基板ケースを提供することができる。すなわち、第１フランジ部及び第２フランジ部の少なくとも一方が透明であり、かつ、接着剤は着色されているため、接着が確実に行われているか否かを目視により簡単に確認することができる。また、接着部分を剥離して基板ケースが不正開放されたか否かについても、接着部分を無理矢理剥離することで生じる白濁を目視できることにより簡単に確認することができる。
さらに、本発明のうち第３の発明は、上記した第１又は第２の発明の効果に加え、第１固定穴及び第２固定穴の少なくとも一方に段部を設けることで、第１固定穴及び第２固定穴の近傍よりも貫通孔の近傍の方が間隔が大きく、かつ、貫通孔から注入された液状の接着剤が流れ込む、間隙を形成することにより、簡易かつ強固な固定を、より効果的に行うことができるような基板ケースを提供することができる。
【００３７】
また、本発明のうち第４の発明は、上記した第１又は第２の発明の効果に加え、第１フランジ部及び第２フランジ部の少なくとも一方を、貫通孔の近傍よりも第１固定穴及び第２固定穴の近傍の方が、他方に近くなるように傾斜させることで、第１固定穴及び第２固定穴の近傍よりも貫通孔の近傍の方が間隔が大きく、かつ、貫通孔から注入された液状の接着剤が流れ込む、間隙を形成することにより、簡易かつ強固な固定を、より効果的に行うことができるような基板ケースを提供することができる。
また、本発明のうち第５の発明は、上記した第１又は第２の発明の効果に加え、第１フランジ部及び第２フランジ部の少なくとも一方を、貫通孔の近傍よりも第１固定穴及び第２固定穴の近傍の方が、他方に近くなるように湾曲させることで、第１固定穴及び第２固定穴の近傍よりも貫通孔の近傍の方が間隔が大きく、かつ、貫通孔から注入された液状の接着剤が流れ込む、間隙を形成することにより、簡易かつ強固な固定を、より効果的に行うことができるような基板ケースを提供することができる。
また、本発明のうち第６の発明は、上記した第１又は第２の発明の効果に加え、第１フランジ部及び第２フランジ部の少なくとも一方が、貫通孔の近傍よりも第１固定穴及び第２固定穴の近傍で、他方に近くなるようにたわむことで、第１固定穴及び第２固定穴の近傍よりも貫通孔の近傍の方が間隔が大きく、かつ、貫通孔から注入された液状の接着剤が流れ込む、間隙を形成することにより、簡易かつ強固な固定を、より効果的に行うことができるような基板ケースを提供することができる。
また、本発明のうち第７の発明は、上記した第６の発明の効果に加え、第１フランジ部及び第２フランジ部の少なくとも一方の両端に、他方へ向けて突出する突部が設けられており、第１フランジ部及び第２フランジ部は間隙を介して平行となっているところ、ネジ止めによる圧接で、第１フランジ部及び第２フランジ部の少なくとも一方が、貫通孔の近傍よりも第１固定穴及び第２固定穴の近傍で、他方に近くなるようにたわみ、第１固定穴及び第２固定穴の近傍よりも貫通孔の近傍の方が間隔が大きく、かつ、貫通孔から注入された液状の接着剤が流れ込む、間隙を形成することにより、簡易かつ強固な固定を、より効果的に行うことができるような基板ケースを提供することができる。
【００３８】
さらに、本発明のうち第８の発明は、基板ケースを確実に封印でき、不正な開放を防止することができるような基板ケースの封印方法を提供することができる。
【発明を実施するための最良の形態】
【００３９】
以下、本発明の実施の形態を図面を参照しつつ説明する。
（１）第１の実施の形態
（図面の説明）
図１は、本発明の第１の実施の形態に係る基板ケース1の全体斜視図である。図２は、本発明の第１の実施の形態に係る基板ケース1の正面図である。図３は、本発明の第１の実施の形態に係る基板ケース1の上面図である。図４は、図２の基板ケース1をＡ−Ａ断面で示した図である。図５は、本発明の第１の実施の形態に係る第１フランジ部5及び第２フランジ部6を接着した状態の断面図（ａ）、及び、この変形例（ｂ）、（ｃ）を示した図である。図６は、本発明の第１の実施の形態に係る基板ケース1の貫通孔32に接着剤9を注入した際の、接着剤9の広がり方を示した図である。図７は、本発明の第１の実施の形態に係る基板ケース1をスロットマシン51に固定した状態を示した図である。
【００４０】
（基板ケース1）
本発明に係る基板ケース1は、図１に示すように、ベース部材2と、該ベース部材2と組み合わされるカバー部材3とを備えている。より具体的には、基板ケース1は、図１に示すように、底板10と側板とから構成される直方体箱型形状であって、底板10と対向する方向に開口部を有するベース部材2と、天板4と側板とから構成される直方体箱型形状であって、天板4と対向する方向に開口部を有するカバー部材3とを備えている。そして、ベース部材2とカバー部材3とは、両者の開口部を組み合わせて一体とすることが可能となっている。
【００４１】
また、ベース部材2とカバー部材3とを組み合わせるとベース部材2とカバー部材3との間に基板7を収納可能な空間が形成される。言い換えれば、ベース部材2の開口部と、カバー部材3の開口部とが組み合わされることで、基板7を収納可能な空間が形成される（図４参照）。
（ベース部材2）
ベース部材2は、図１に示すように、その外周縁から外方へ向けて突出する第１フランジ部5を備える。言い換えれば、第１フランジ部5は、ベース部材2の長辺側の外周縁から外方へ突出するように形成されている。この第１フランジ部5は長方形状の板となっており、この板の長辺でベース部材2と連接している。また、この第１フランジ部5は、ベース部材2の両長辺の両端付近にそれぞれ１つずつ計４箇所備えられている（図１参照）。また、第１フランジ部5は無色透明となっている。
【００４２】
また、ベース部材2の、底板10の開口部側の面の中央付近には、基板7をベース部材2に固定すべくネジを止めるための第１ネジ止め部12が２箇所設けられている。この第１ネジ止め部12は円筒形をしており、ベース部材2の、底板10の開口部側の面から開口部方向へ向けて、かつ、底板10に対して垂直に突出するように備えられている（図３参照）。
（カバー部材3）
カバー部材3は、図１に示すように、その外周縁から外方へ向けて突出する第２フランジ部6を備えており、この第２フランジ部6は、カバー部材3とベース部材2とを組み合わせた際に、前記第１フランジ部5と重なり合う。上述の如く、第１フランジ部5及び第２フランジ部6は、両者が完全に重なりあうようにするため、形状、大きさは等しくするのが好ましい。そこで、カバー部材3には、このカバー部材3とベース部材2とを組み合わせた際、ベース部材2に備えられた４つの第１フランジ部5のそれぞれと対応する位置に第２フランジ部6を備える。第２フランジ部6は、第１フランジ部5と同形同大の板状となっている。また、第２フランジ部6も、第１フランジ部5と同様に、無色透明となっている。
【００４３】
また、カバー部材3の天板4には、このカバー部材3とベース部材2とを組み合わせた際に当該ベース部材2の第１ネジ止め部12のそれぞれと対応する位置に、第２ネジ止め部14が設けられている。この第２ネジ止め部14は、カバー部材3の天板4を貫通し、当該カバー部材3の天板4の、開口部側の面から開口部方向へ向けて突出する円筒形部材である。また、第２ネジ止め部14の開口部方向の端面には貫通孔が設けられている。後述するように、基板用ネジ11は、この第２ネジ止め部14から挿入されて、基板7を介して、前記第１ネジ止め部12に止められる。これによって、基板7がカバー部材3とベース部材2を組み合わせることにより形成される内部空間に固定されることとなる（図３及び図４参照）。
【００４４】
（第１フランジ部5）
第１フランジ部5の所定位置には、第１固定穴22が設けられる。第１固定穴22は、第１フランジ部5と第２フランジ部6とを固定する固定部材31としてのタッピンネジ34をねじ込んでいくものである。より具体的には、第１フランジ部5の中央に、この第１フランジ部5を貫通する第１固定穴22が備えられている（図３参照）。
また、第１フランジ部5の、第２フランジ部6と反対側の面にはタッピンネジ固定部21が備えられている。このタッピンネジ固定部21は円筒形部材であって、その中空孔は前記第１固定穴22とほぼ同径となっている。そして、タッピンネジ固定部21は、第１固定穴22と、このタッピンネジ固定部21に設けられた中空孔とが合致するように備えられている。また、このタッピンネジ固定部21には、タッピンネジ34をねじ込んで固定するための穴が設けられている（図３参照）。
【００４５】
また、第１フランジ部5の、第２フランジ部6側の面における、第１固定穴22の近傍に、第２フランジ部6方向へ向けて突出する段部23が設けられることにより、貫通孔32の近傍よりも第１固定孔22の近傍の方が第２フランジ部6に近くなり、第１フランジ部5と第２フランジ部6との間に、第１固定穴22及び第２固定穴33の近傍よりも貫通孔32の近傍の方が間隔が大きい間隙8が形成される（図５（ａ）参照）。
（第２フランジ部6）
図５（ａ）に示すように、第２フランジ部6の、ベース部材2とカバー部材3とを組み合わせた際に第１固定穴22と対応する位置には、第２固定穴33が設けられている。第２固定穴33は、第１フランジ部5と第２フランジ部6とを固定する固定部材31としてのタッピンネジ34をねじ込んでいくものである。この第２固定穴33は第２フランジ部6を貫通しており、第１固定穴22と同径となっている。
【００４６】
また、第２フランジ部6の長手方向の両端付近に、貫通孔32がそれぞれ１つずつ計２箇所設けられている（図５（ａ）参照）。
（第１フランジ部5及び第２フランジ部6の固定）
カバー部材3とベース部材2とを組み合わせると、第１フランジ部5と第２フランジ部6とが重なり合うこととなる。この際、第１固定穴22及び第２固定穴33も一致することとなる（図３参照）。
ここで、上述の如く、第１フランジ部5と第２フランジ部6とは、第１固定穴22と第２固定穴33とにねじ込まれた固定部材31としてのタッピンネジ34によって、互いに圧接した状態で固定されるように形成される。すなわち、第１フランジ部5と第２フランジ部6とは、この第１固定穴22及び第２固定穴33を介して、固定される。より具体的には、第２固定穴33に、第２固定穴33の、第１フランジ部5と反対側の面から、固定部材31としてのタッピンネジ34をねじ込み、第２固定穴33及び第１固定穴22を介して、タッピンネジ34がタッピンネジ固定部21にねじ込まれることにより、第１フランジ部5と第２フランジ部6とが圧接されて固定される。（図５（ａ）参照）。
【００４７】
（基板7の固定）
上述の如く、ベース部材2の、底板10の開口部側の面の中央付近には、基板7をベース部材2に固定すべくネジを止めるための第１ネジ止め部12が２箇所設けられている。また、カバー部材3の天板4には、このカバー部材3とベース部材2とを組み合わせた際に当該ベース部材2の第１ネジ止め部12のそれぞれと対応する位置に、第２ネジ止め部14が設けられている。この第２ネジ止め部14は、カバー部材3の天板4を貫通し、当該カバー部材3の天板4の開口部側の面から、開口部方向へ向けて突出する（図４参照）。また、基板7の、カバー部材3とベース部材2とを組み合わせた際に第１ネジ止め部12及び第２ネジ止め部14と対応する位置にそれぞれ基板貫通孔13が設けられている（図４参照）。
【００４８】
基板7は、ベース部材2の第１ネジ止め部12上に載置され、さらに、この上からカバー部材3により覆われる。そして、このカバー部材3の第２ネジ止め部14に、カバー部材3の天板4の、開口部と反対側の面から、基板用ネジ11を挿入していく。そして、第２ネジ止め部14及び基板貫通孔13を介して、基板用ネジ11が第１ネジ止め部12に止められることにより、基板7が、カバー部材3とベース部材2とを組み合わせて形成される内部空間に固定されることとなる（図４参照）。
なお、基板7の、基板ケース1への固定については、他の周知又は慣用の技術を用いることができる。
【００４９】
（第１フランジ部5及び第２フランジ部6の接着）
上述の如く、第１フランジ部5と第２フランジ部6とを固定した際に、第１フランジ部5と第２フランジ部6との間に、前記第１固定穴22及び第２固定穴33の近傍よりも前記貫通孔32の近傍の方が間隔が大きい間隙8が形成される（図５（ａ）参照）。
具体的には、第１フランジ部5の、第２フランジ部6側の面における、第１固定穴22の近傍に、第２フランジ部6方向へ向けて突出する段部23が設けられ、この段部23により、貫通孔32の近傍よりも第１固定孔22の近傍の方が第２フランジ部6に近くなり、第１フランジ部5と第２フランジ部6との間に、第１固定穴22及び第２固定穴33の近傍よりも貫通孔32の近傍の方が間隔が大きい間隙8が形成される（図５（ａ）参照）。
【００５０】
そして、前記貫通孔32から接着剤9を注入すると、前記間隙8に流れ込んで、広がることとなる。間隙8は非常に小さな隙間であるため、貫通孔32より接着剤9を注入すると、毛細管力によって間隙8に接着剤9が流れ込み、僅かの時間で間隙8の全体に広がる（図６参照）。そして、この接着剤9により、第１フランジ部5と第２フランジ部6とは接着される。また、この接着剤9は有色不透明となっている。
（基板ケース1の固定）
封印された基板ケース1は、図７に示すように、スロットマシン51の内部に固定される。具体的には、ベース部材2の底板10を、スロットマシン51の内部における背板に接着することで、基板ケース1は固定される。
【００５１】
なお、基板ケース1の、スロットマシン51への固定については、たとえば、ネジ止め等の他の周知又は慣用の技術を用いることができる。
（総括）
本実施の形態に係る基板ケース1は、構造が簡易であって、かつ、確実に封印でき、不正な開放を防止することができる。すなわち、本発明に係る第１フランジ部5及び第２フランジ部6には、固定部材31により固定するための第１固定穴22及び第２固定穴33、接着剤9を注入する貫通孔32を備えており、これらのみで基板ケース1を接着封印するため、封印構造が容易となり、生産性の向上やコストの低下を図ることができる。また、固定部材31による固定のみではなく、第１フランジ部5及び第２フランジ部6を接着剤で接着することにより、基板ケース1を強力に固定するため、不正開放を極めて難しいものとすることができる。また、第１フランジ部5と第２フランジ部6との間に形成される間隙8は非常に小さな隙間であり、貫通孔32より注入された接着剤9は、毛細管力によって僅かの時間で間隙8の全域に広がるため、簡易に接着剤9を塗布することができる。また、第１フランジ部5と第２フランジ部6とが固定部材31により圧接されているので、人間が手で第１フランジ部5及び第２フランジ部6を押さえることなく、第１フランジ部5及び第２フランジ部6を固定することができるため、作業負担が軽減されることとなる。
【００５２】
さらに、基板ケース1の不正な開放が行われた場合に、その開放跡を視認することができ、不正な開放を容易に発見することができる。すなわち、第１フランジ部5及び第２フランジ部6の両方が無色透明であり、かつ、接着剤9は着色されているため、接着が確実に行われているか否かを目視により簡単に確認することができる。また、接着部分を剥離して基板ケース1が不正開放されたか否かについても、接着部分を無理矢理剥離することで生じる白濁を目視できることにより簡単に確認することができる。
さらに、本実施の形態に係る基板ケース1は、第１固定穴22の近傍に段部23を設けることで、第１固定穴22及び第２固定穴33の近傍よりも貫通孔32の近傍の方が間隔が大きく、かつ、貫通孔32から注入された液状の接着剤9が流れ込む、間隙8を形成することにより、簡易かつ強固な固定を、より効果的に行うことができる。
【００５３】
（変形例）
第１の実施の形態では、上述の如く、段部23は第１フランジ部5に設けられているが、図５（ｂ）に示すように、第２フランジ部6の、第１フランジ部5側の面における、第２固定穴33の近傍に、第１フランジ部5方向へ向けて突出する段部23を設けてもよい。
また、図５（ｃ）に示すように、第１フランジ部5の、第２フランジ部6側の面における、第１固定穴22の近傍に、第２フランジ部6方向へ向けて突出する段部23が設けられるとともに、第２フランジ部6の、第１フランジ部5側の面における、第２固定穴33の近傍に、第１フランジ部5方向へ向けて突出する段部23を設けてもよい。
【００５４】
これらの場合も、上述した第１の実施の形態と同一の作用効果を奏する。
（２）第２の実施の形態
本発明の第２の実施の形態は、基板ケース1を構成するベース部材2及びカバー部材3の固定構造が、第１の実施の形態と相違し、他については第１の実施の形態と同一である。この相違点について具体的に説明する。
（図面の説明）
図８は、本発明の第２の実施の形態に係る基板ケース1の全体斜視図である。図９は、本発明の第２の実施の形態に係る基板ケース1の正面図である。図１０は、図９の基板ケース1をＡ−Ａ断面で示した図である。
【００５５】
（ベース部材2）
図８及び図９に示すように、ベース部材2の外周縁から外方へ向けて突出する第１フランジ部5は、ベース部材2の一方の長辺側の外周縁の両端付近にそれぞれ１つずつ計２箇所備えられている。
そして、図１０に示すように、ベース部材2の他方の長辺側の外周縁には第１係止部15が設けられている。この第１係止部15は、外方へ向けて凸となっており、後述するカバー部材3の第２係止部16に引っ掛かり係止することができる。また、この第１係止部15は、ベース部材2の外周縁の両端付近にそれぞれ１つずつ計２箇所設けられている。
【００５６】
（カバー部材3）
図８及び図９に示すように、カバー部材3は、前記第１フランジ部5と重なり合う第２フランジ部6を備える。
また、図９に示すように、カバー部材3の内周縁の、ベース部材2とカバー部材3とを組み合わせた際に第１係止部15と対応する位置に、第２係止部16が設けられている。この第２係止部16は、第１係止部15を引っ掛けることができる凹部となっている。
したがって、ベース部材2とカバー部材3とが組み合わせられると、第１係止部15が第２係止部16に引っ掛かり、さらに、第２フランジ部6と第１フランジ部5とがネジ止めされると、ベース部材2とカバー部材3とは固定されることとなる（図１０参照）。
【００５７】
（総括）
上述のように、本実施の形態では、ベース部材2及びカバー部材3の固定構造が第１の実施の形態と異なるが、他の構成等は同一であり、上述した第１の実施の形態と同一の作用効果を奏する。
（３）第３の実施の形態
本発明の第３の実施の形態は、第１フランジ部5の構造が、第１の実施の形態と相違し、他については第１の実施の形態と同一である。この相違点について具体的に説明する。
（図面の説明）
図１１は、本発明の第３の実施の形態に係る第１フランジ部5及び第２フランジ部6を接着した状態の断面図（ａ）、及び、この変形例（ｂ）、（ｃ）を示した図である。
【００５８】
（第１フランジ部5）
図１１（ａ）に示すように、第１フランジ部5の、第２フランジ部6側の面が、貫通孔32の近傍よりも第１固定穴22の近傍の方が第２フランジ部6に近くなるように傾斜している。
すなわち、第１フランジ部5の、第２フランジ部6側の面を、いわゆるテーパー面とする。このテーパー面は、第１固定穴22の近傍が第２フランジ部6に最も近く、第１固定穴22の近傍から貫通孔32の近傍に向けて、しだいに第２フランジ部6から遠ざかるように傾斜している。
【００５９】
これにより、第１フランジ部5と第２フランジ部6とを固定した際に、第１フランジ部5と第２フランジ部6との間に、第１固定穴22及び第２固定穴33の近傍よりも貫通孔32の近傍の方が間隔が大きい間隙8が形成される。
（総括）
上述のように、本実施の形態では、第１フランジ部5の構造が第１の実施の形態と異なるが、他の構成等は同一であり、上述した第１の実施の形態と同一の作用効果を奏する。
（変形例）
第３の実施の形態では、上述の如く、第１フランジ部5の、第２フランジ部6側の面を、貫通孔32の近傍よりも第１固定穴22の近傍の方が、第２フランジ部6に近くなるように傾斜させているが、図１１（ｂ）に示すように、第２フランジ部6の、第１フランジ部5側の面が、貫通孔32の近傍よりも第２固定穴33の近傍の方が第１フランジ部5に近くなるように傾斜させてもよい。
【００６０】
また、図１１（ｃ）第１フランジ部5の、第２フランジ部6側の面が、貫通孔32の近傍よりも第１固定穴22の近傍の方が第２フランジ部6に近くなるように傾斜するとともに、第２フランジ部6の、第１フランジ部5側の面が、貫通孔32の近傍よりも第２固定穴33の近傍の方が第１フランジ部5に近くなるように傾斜させてもよい。
これらの場合も、上述した第３の実施の形態と同一の作用効果を奏する。
（４）第４の実施の形態
本発明の第４の実施の形態は、第２フランジ部6の構造が、第１の実施の形態と相違し、他については第１の実施の形態と同一である。この相違点について具体的に説明する。
【００６１】
（図面の説明）
図１２は、本発明の第４の実施の形態に係る第１フランジ部5及び第２フランジ部6を接着した状態の断面図（ａ）、及び、この変形例（ｂ）、（ｃ）を示した図である。
（第２フランジ部6）
図１２（ａ）に示すように、第２フランジ部6の、第１フランジ部5側の面が、貫通孔32の近傍よりも第２固定穴33の近傍の方が第１フランジ部5に近くなるように湾曲している。
すなわち、第１フランジ部5の、第２フランジ部6側の面が、第２フランジ部6側に凸となる曲面になっている。この曲面は、第１固定穴22の近傍が第２フランジ部6に最も近く、第１固定穴22の近傍から貫通孔32の近傍に向けて、しだいに第２フランジ部6から遠ざかるように湾曲している。これにより、第１フランジ部5と第２フランジ部6とを固定した際に、第１フランジ部5と第２フランジ部6との間に、第１固定穴22及び第２固定穴33の近傍よりも貫通孔32の近傍の方が間隔が大きい間隙8が形成される。
【００６２】
（総括）
上述のように、本実施の形態では、第２フランジ部6の構造が第１の実施の形態と異なるが、他の構成等は同一であり、上述した第１の実施の形態と同一の作用効果を奏する。
（変形例）
第４の実施の形態では、上述の如く、第２フランジ部6の、第１フランジ部5側の面が、貫通孔32の近傍よりも第２固定穴33の近傍の方が第１フランジ部5に近くなるような凸面に形成されているが、図１２（ｂ）に示すように、第１フランジ部5の、第２フランジ部6側の面が、貫通孔32の近傍よりも第１固定穴22の近傍の方が第２フランジ部6に近くなるように湾曲させてもよい。
【００６３】
また、図１２（ｃ）に示すように、第２フランジ部6の、第１フランジ部5側の面が、貫通孔32の近傍よりも第２固定穴33の近傍の方が第１フランジ部5に近くなるように湾曲させるとともに、第１フランジ部5の、第２フランジ部6側の面が、貫通孔32の近傍よりも第１固定穴22の近傍の方が第２フランジ部6に近くなるように湾曲させてもよい。
これらの場合も、上述した第４の実施の形態と同一の作用効果を奏する。
（５）第５の実施の形態
本発明の第５の実施の形態は、第２フランジ部6の構造が、第１の実施の形態と相違し、他については第１の実施の形態と同一である。この相違点について具体的に説明する。
【００６４】
（図面の説明）
図１３は、本発明の第５の実施の形態に係る第１フランジ部5及び第２フランジ部6を接着した状態の断面図（ａ）、及び、この変形例（ｂ）、（ｃ）を示した図である。
（第２フランジ部6）
本実施の形態に係る第１フランジ部5及び第２フランジ部6は、この第１フランジ部5及び第２フランジ部6を固定部材31としてのタッピンネジ34で固定する前は、間隙を介して平行となるように形成されているものである。そして、図１２（ａ）に示すように、第１固定穴22と第２固定穴33とを通した固定部材31としてのタッピンネジ34で、第１フランジ部5と第２フランジ部6とを圧接させることにより、第２フランジ部6が、貫通孔32よりも第２固定穴33の近傍で、第１フランジ部5に近くなるようにたわむ。これにより、第１フランジ部5と第２フランジ部6との間に、第１固定穴22及び第２固定穴33の近傍よりも貫通孔32の近傍の方が間隔が大きい間隙8が形成される。
【００６５】
すなわち、固定部材31としてのタッピンネジ34で第１フランジ部5と第２フランジ部6とを圧接させて、第２フランジ部6を、第１固定穴22及び第２固定穴33の近傍で、第１フランジ部5方向に向けてたわませる。これにより、第１フランジ部5と第２フランジ部6との間に形成された間隙8の間隔は、第１固定穴22及び第２固定穴33の近傍よりも貫通孔32の近傍の方が大きくなる。
（総括）
上述のように、本実施の形態では、第２フランジ部6の構造が第１の実施の形態と異なるが、他の構成等は同一であり、上述した第１の実施の形態と同一の作用効果を奏する。
【００６６】
（変形例）
第５の実施の形態では、上述の如く、タッピンネジ34で第１フランジ部5と第２フランジ部6とを圧接させて、第２フランジ部6を、第１固定穴22及び第２固定穴33の近傍で、第１フランジ部5方向に向けてたわませているが、図１２（ｂ）に示すように、タッピンネジ34で、第１フランジ部5と第２フランジ部6とを圧接させることで、第１フランジ部5が、貫通孔32の近傍よりも第１固定穴22近傍で、第２フランジ部6に近くなるようにたわませてもよい。
また、図１２（ｃ）に示すように、タッピンネジ34で、第１フランジ部5と第２フランジ部6とを圧接させることで、第２フランジ部6が、貫通孔32よりも第２固定穴33の近傍で、第１フランジ部5に近くなるようにたむとともに、第１フランジ部5が、貫通孔32の近傍よりも第１固定穴22近傍で、第２フランジ部6に近くなるようにたわませてもよい。
【００６７】
これらの場合も、上述した第５の実施の形態と同一の作用効果を奏する。
（６）第６の実施の形態
本発明の第６の実施の形態は、第２フランジ部6の構造が、第１の実施の形態と相違し、他については第１の実施の形態と同一である。この相違点について具体的に説明する。
（図面の説明）
図１４は、本発明の第６の実施の形態に係る第１フランジ部5及び第２フランジ部6を接着した状態の断面図（ａ）、及び、この変形例（ｂ）、（ｃ）を示した図である。
（第２フランジ部6）
図１４（ａ）に示すように、第２フランジ部6の、第１フランジ部5側の面における両端には、第１フランジ部5方向へ向けて突出する突部24が設けられている。したがって、ベース部材2とカバー部材とが組み合わされ、第１フランジ部5及び第２フランジ部6がタッピンネジ34で固定される前は、この第１フランジ部5及び第２フランジ部6は、間隙を介して平行となるように配設される。
【００６８】
そして、第１固定穴22と第２固定穴33とを通した固定部材31としてのタッピンネジネジ34で、第１フランジ部5と第２フランジ部6とが圧接されることにより、第２フランジ部6は、貫通孔32の近傍よりも第２固定穴33の近傍の方が第１フランジ部5に近くなるようにたわみ、第１フランジ部5と第２フランジ部6との間に、第１固定穴22及び第２固定穴33の近傍よりも貫通孔32の近傍の方が間隔が大きい間隙8が形成される。
（総括）
上述のように、本実施の形態では、第２フランジ部6の構造が第１の実施の形態と異なるが、他の構成等は同一であり、上述した第１の実施の形態と同一の作用効果を奏する。
【００６９】
（変形例）
第６の実施の形態では、上述の如く、第２フランジ部6の、第１フランジ部5側の面の両端にそれぞれ、第１フランジ部5方向に向けて突出する突部24を設けているが、図１４（ｂ）に示すように、第１フランジ部5の、第２フランジ部6側の面における両端に、第２フランジ部6へ向けて突出する突部24を設けてもよい。
また、図１４（ｃ）に示すように、第２フランジ部6の、第１フランジ部5側の面における両端に、第１フランジ部5へ向けて突出する突部24を設けるとともに、第１フランジ部5の第２フランジ部6側の面における両端に、第２フランジ部6へ向けて突出する突部24が設けてもよい。
【００７０】
これらの場合も、上述した第６の実施の形態と同一の作用効果を奏する。
【図面の簡単な説明】
【００７１】
【図１】本発明の第１の実施の形態に係る基板ケースの全体斜視図である。
【図２】本発明の第１の実施の形態に係る基板ケースの正面図である。
【図３】本発明の第１の実施の形態に係る基板ケースの上面図である。
【図４】図２の基板ケースをＡ−Ａ断面で示した図である。
【図５】本発明の第１の実施の形態に係る第１フランジ部及び第２フランジ部を接着した状態の断面図（ａ）、及び、この変形例（ｂ）、（ｃ）を示した図である。
【図６】本発明の第１の実施の形態に係る基板ケースの貫通孔に接着剤を注入した際の、接着剤の広がり方を示した図である。
【図７】本発明の第１の実施の形態に係る基板ケースをスロットマシンに固定した状態を示した図である。
【図８】本発明の第２の実施の形態に係る基板ケースの全体斜視図である。
【図９】本発明の第２の実施の形態に係る基板ケースの正面図である。
【図１０】図９の基板ケースをＡ−Ａ断面で示した図である。
【図１１】本発明の第３の実施の形態に係る第１フランジ部及び第２フランジ部を接着した状態の断面図（ａ）、及び、この変形例（ｂ）、（ｃ）を示した図である。
【図１２】本発明の第４の実施の形態に係る第１フランジ部及び第２フランジ部を接着した状態の断面図（ａ）、及び、この変形例（ｂ）、（ｃ）を示した図である。
【図１３】本発明の第５の実施の形態に係る第１フランジ部及び第２フランジ部を接着した状態の断面図（ａ）、及び、この変形例（ｂ）、（ｃ）を示した図である。
【図１４】本発明の第６の実施の形態に係る第１フランジ部及び第２フランジ部を接着した状態の断面図（ａ）、及び、この変形例（ｂ）、（ｃ）を示した図である。
【符号の説明】
【００７２】
1  基板ケース              2  ベース部材
3  カバー部材              4  天板
5  第１フランジ部          6  第２フランジ部
7  基板                    8  間隙
9  接着剤                10  底板
11  基板用ネジ            12  第１ネジ止め部
13  基板貫通孔            14  第２ネジ止め部
15  第１係止部            16  第２係止部
21  タッピンネジ固定部    22  第１固定穴
23  段部                  24  突部
31  固定部材              32  貫通孔
33  第２固定穴            34  タッピンネジ
51  スロットマシン
【図１】
2006087806.tif 000003
【図２】
2006087806.tif 000004
【図３】
2006087806.tif 000005
【図４】
2006087806.tif 000006
【図５】
2006087806.tif 000007
【図６】
2006087806.tif 000008
【図７】
2006087806.tif 000009
【図８】
2006087806.tif 000010
【図９】
2006087806.tif 000011
【図１０】
2006087806.tif 000012
【図１１】
2006087806.tif 000013
【図１２】
2006087806.tif 000014
【図１３】
2006087806.tif 000015
【図１４】
2006087806.tif 000016